(57)【特許請求の範囲】
【請求項１】
複数の用紙を収容する用紙収容部を各々が有し、各々の前記用紙収容部に収容された用紙を送り出す複数の給紙手段と、
前記複数の給紙手段から送り込まれた用紙を積載して用紙束を作成する用紙束作成手段と、
作成すべき用紙束に含まれる複数の用紙の各々の積載順と、その積載順の用紙が送り出されるべき前記用紙収容部との対応関係を取得する対応関係取得手段と、
前記用紙収容部から送り出された用紙が、取得された前記対応関係においてその用紙収容部に対応付けられた積載順に前記用紙束作成手段において積載されるよう、前記複数の給紙手段による用紙の送り出しを制御する給紙制御手段と、
作成すべき冊子に含まれる用紙の枚数である合計枚数の入力を受けつけ、これを取得する合計枚数取得手段と、
画像が表示されるディスプレイと、
前記ディスプレイに画像を表示する表示制御手段と、
を備え、
前記表示制御手段は、前記合計枚数取得手段により合計枚数が取得されると、一冊の冊子分の用紙が用紙束となるよう積載されるときに最上位に積載される用紙から何枚目かを示す前記合計枚数分の用紙の順序と、前記複数の給紙手段のいずれかの用紙収容部との対応付けをユーザに選択指定させるための対応関係入力欄を含む給紙部設定画面を表示し、
前記対応関係取得手段は、ユーザの入力により選択された用紙の順序と用紙収容部との対応関係を、前記作成すべき用紙束に含まれる複数の用紙の各々の積載順と、その積載順の用紙が送り出されるべき用紙収容部との対応関係として取得することを特徴とする用紙束形成装置。
【請求項２】
用紙束を折りたたんで冊子を作成する折り処理を実施する折り手段と、
折り処理を実施するか否かのユーザによる選択結果を取得する選択結果取得手段と、
をさらに備え、
前記表示制御手段は、
取得された前記対応関係を利用して、用紙束を構成するそれぞれの用紙を各々が模式的に表す複数の用紙画像を、各々が表す用紙が送り出されるべき用紙収容部を識別可能な態様で、各々が表す用紙の積載順に並べて表示し、
折り処理が選択された場合に、折り処理が施されたときに折り曲げられる方向に各々が折れ曲がった前記複数の用紙画像を表示することを特徴とする請求項１に記載の用紙束形成装置。
【請求項３】
前記表示制御手段は、少なくとも１箇所の用紙順の用紙が送り出されるべき用紙収容部がユーザによって指定されていない状態でユーザによって指定完了が指示された場合、用紙収容部が指定されていない用紙がある旨を示すメッセージを表示するとともに、前記給紙部設定画面を継続して表示することを特徴とする請求項１または２に記載の用紙束形成装置。
【請求項４】
各々の用紙収容部には、用紙が積載されているか否かを検知する用紙センサが設けられ、
前記表示制御手段は、いずれかの用紙センサによって用紙が積載されていないと検知された場合、その用紙センサに対応する用紙収容部の選択を禁止する形で前記対応関係入力欄を表示することを特徴とする請求項１から３のいずれかに記載の用紙束形成装置。
【請求項５】
複数の用紙収容部のうち所定用紙収容部と用紙の積載順とが予め対応付けられた所定対応関係を複数保持する記憶手段をさらに備え、
前記対応関係取得手段は、保持された複数の所定対応関係をベースにユーザによる選択変更を受け付けることを特徴とする請求項１から４のいずれかに記載の用紙束形成装置。
【請求項６】
前記記憶手段は、前記所定対応関係として、用紙束の積載順の最終枚目、用紙束の最終枚目と最終枚目の１つ前、用紙束の積載順の１枚目、用紙束の積載順の１枚目と２枚目、用紙束の積載順の１枚目と最終枚目のうちいずれかである特定の用紙を、その他の用紙とは異なる用紙収容部に対応させた対応関係を保持し、
複数の用紙収容部は、大容量用紙収容部および当該大容量用紙収容部よりも収容許容量が少ない小容量用紙収容部の双方を含み、
前記記憶手段は、前記小容量用紙収容部と前記特定の用紙とが予め対応付けられた所定対応関係を保持することを特徴とする請求項５に記載の用紙束形成装置。
【請求項７】
前記対応関係取得手段は、複数の用紙収容部の中から、作成すべき用紙束に含まれる複数の用紙のうち最も多く用紙を送り出すメイン用紙収容部を特定し、作成すべき用紙束に含まれる複数の用紙のすべての積載順と前記メイン用紙収容部とを対応付けた対応関係を前記所定対応関係としてユーザによる選択変更を受け付けることを特徴とする請求項５または６に記載の用紙束形成装置。
【発明の詳細な説明】
【技術分野】
【０００１】
本発明は、用紙束形成装置に関し、特に、複数の給紙手段から送り出された用紙を積載して用紙束を形成する用紙束形成装置に関する。
【背景技術】
【０００２】
複数の給紙部から送り出された用紙を重ね合わせて用紙束とする用紙束形成装置が知られている。このような用紙束形成装置として、例えば、２つの給紙部のうち一方から用紙を送り出し、送り出される用紙に所定のマークが付されていることが検知された場合に、そのマークが付された用紙を送り出した直後に別の給紙部から用紙を送り出して重ね合わせる多機能書類統合装置が提案されている（例えば、特許文献１参照）。また、用紙を積載する給紙台が複数設けられ、各々の給紙台から搬送された用紙を重ね合わせて用紙束として搬送する用紙束搬送装置が提案されている（例えば、特許文献２参照）。
【特許文献１】特開平５−３１９６６９号公報
【特許文献２】特開２００６−３０６５９２号公報
【発明の開示】
【発明が解決しようとする課題】
【０００３】
近年、製本される冊子には、多様な印刷方法による画像記録や多種の用紙種類の用紙が含められることが要求される。このため、異なる印刷工程を経た用紙を組み合わせて用紙束を作成して製本する場合がある。このとき、上述の特許文献１に記載される技術では用紙に予めマークを付さなければならないため、出来上がった冊子にそのマークが残るか、そのマークが付された用紙の周縁部を切り落とす必要が生じ、完成した冊子の高品質と高生産性の両立が困難である。また、上述の特許文献２に記載される技術では、給紙台が並んだ順に用紙が重ねられるため、給紙台が並んだ順以外の順序で用紙を重ね合わせることは困難である。
【０００４】
そこで、本発明は上述した課題を解決するためになされたものであり、その目的は、複数の給紙部から送り出した用紙をユーザが求める順序で重ね合わせることが可能な用紙束形成装置を提供することにある。
【課題を解決するための手段】
【０００５】
上記課題を解決するために、本発明のある態様の用紙束形成装置は、複数の用紙を収容する用紙収容部を各々が有し、各々の用紙収容部に収容された用紙を送り出す複数の給紙手段と、複数の給紙手段から送り込まれた用紙を積載して用紙束を作成する用紙束作成手段と、ユーザによって入力された、作成すべき用紙束に含まれる複数の用紙の各々の積載順と、用紙収容部との対応関係を取得する対応関係取得手段と、用紙収容部から送り出された用紙が、取得された対応関係においてその用紙収容部に対応付けられた積載順に用紙束作成手段において積載されるよう複数の給紙手段による用紙の送り出しを制御する給紙制御手段と、を備える。
【０００６】
この態様によれば、ユーザは、積載順と用紙収容部との対応関係を入力することで、自身が求める順序で用紙を重ね合わせて用紙束を形成させることができる。このため、用紙の重ね順を示すマークを付すことによる完成冊子の品質の低下や、当該マークを切り落とすための生産性の低下を抑止することができ、簡易に高品質の冊子を提供することが可能となる。
【０００７】
本発明のある態様の用紙束形成装置は、画像が表示されるディスプレイと、ディスプレイに画像を表示させる表示制御手段と、をさらに備えてもよい。表示制御手段は、取得された対応関係を利用して、用紙束を構成するそれぞれの用紙を各々が模式的に表す複数の用紙画像を、各々が表す用紙が送り出されるべき用紙収容部を識別可能な態様で、各々が表す用紙の積載順に並べてディスプレイに表示させてもよい。
【０００８】
この態様によれば、ユーザは用紙画像を見ることで、完成後の冊子における用紙の構成を容易に把握することができる。このため、例えば対応関係の入力ミスがあった場合においても、誤った対応関係のまま製本処理が行われる可能性を低減させることができる。
【０００９】
表示制御手段は、ユーザによって対応関係が入力される対応関係設定画面において、複数の用紙画像を表示させてもよい。
【００１０】
この態様によれば、ユーザは用紙画像を見ることで、完成後の冊子における用紙の構成を把握しながら積載順と用紙収容部との対応関係を入力することができる。このため、積載順と用紙収容部との対応関係のユーザによる迅速な入力を実現することができ、また、対応関係の入力ミスを抑制することが可能となる。
【００１１】
本発明のある態様の用紙束形成装置は、用紙束を折りたたんで冊子を作成する折り処理を実施する折り手段と、折り処理を実施するか否かのユーザによる選択結果を取得する選択結果取得手段と、をさらに備えてもよい。表示制御手段は、折り処理が選択された場合に、折り処理が施されたときに折り曲げられる方向に各々が折れ曲がった複数の用紙画像を表示してもよい。
【００１２】
この態様によれば、ユーザは、用紙画像を見ることにより折り処理が選択されているか否かを容易に把握することができる。このため、折り処理を実施するか否かが誤って選択されたまま製本処理が実施される可能性を低減させることができる。
【００１３】
本発明のある態様の用紙束形成装置は、複数の用紙収容部のうち所定用紙収容部と用紙の積載順とが予め対応付けられた所定対応関係を複数保持する記憶手段をさらに備えてもよい。対応関係取得手段は、保持された複数の所定対応関係のうち、ユーザによって選択された所定対応関係を取得してもよい。
【００１４】
例えば、所定の用紙収容部がある積載順で積載される用紙の送り出しに使用される頻度が高い場合がある。この態様によれば、このように頻度が高い組み合わせを所定対応関係として予め保持しておくことにより、ユーザは使用頻度の高い対応関係を迅速に設定することができる。このため、ユーザの設定工数を抑制することができる。
【００１５】
本発明のある態様の用紙束形成装置は、作成すべき用紙束に含まれる用紙枚数を取得する合計枚数取得手段をさらに備えてもよい。対応関係取得手段は、ユーザによって所定対応関係が選択された場合、取得された用紙枚数分の積載順のうち所定用紙収容部に対応付けられていない積載順を、所定用紙収容部と異なる用紙収容部に対応付けてもよい。
【００１６】
作成すべき用紙束に含まれる用紙枚数を把握することができなければ、すべての積載順を用紙収容部に対応付けることは困難である。この態様によれば、取得した用紙枚数を利用してすべての積載順を用紙収容部に対応付けることができる。このため、所定用紙収容部に対応付けられていない積載順を用紙収容部に対応付けるユーザの設定工数を抑制することができる。
【００１７】
記憶手段は、所定用紙収容部と最終枚目の積載順とが予め対応付けられた所定対応関係を保持してもよい。また、記憶手段は、所定用紙収容部と１枚目の積載順とが予め対応付けられた所定対応関係を保持してもよい。
【００１８】
最終枚目や１枚目の積載順の用紙は表紙などになることが多く、このため、表紙以外の本身とは別の用紙収容部から送り出される場合がある。この態様によれば、このような所定対応関係を選択することにより、所定用紙収容部と最終枚目または１枚目の積載順とを容易に対応付けることができ、ユーザの設定工数を抑制することができる。
【００１９】
複数の用紙収容部は、大容量用紙収容部および当該大容量用紙収容部よりも収容許容量が少ない小容量用紙収容部の双方を含んでもよい。記憶手段は、小容量用紙収容部と用紙の積載順とが予め対応付けられた所定対応関係を複数保持してもよい。
【００２０】
例えば表紙などは本身よりも枚数が少ないことが多いため、小容量用紙収容部から送り出される場合がある。また、このように小容量用紙収容部から送り出される用紙は、例えば最終枚目や１枚目など特定の積載順で積載される場合が多いと考えられる。この態様によれば、このような対応関係を選択することにより、小容量用紙収容部と所定の積載順とを容易に対応付けることができ、ユーザの設定工数を抑制することができる。
【００２１】
対応関係取得手段は、複数の用紙収容部の中から、作成すべき用紙束に含まれる複数の用紙のうち最も多く用紙を送り出すメイン用紙収容部を特定し、作成すべき用紙束に含まれる複数の用紙のうち１枚以上の用紙の積載順とメイン用紙収容部とを対応付けてもよい。
【００２２】
例えば表紙以外の本身は、用紙束のうち多くの枚数を占めることが多く、このような本身は上述のメイン用紙収容部から送り出される場合がある。この態様によれば、例えばこのようなメイン用紙収容部と積載順とを容易に対応付けることができ、ユーザの設定工数を抑制することができる。
【００２３】
対応関係取得手段は、作成すべき用紙束に含まれる複数の用紙のすべての積載順とメイン用紙収容部とを対応付けてもよい。
【００２４】
例えば用紙束の大部分を占める本身を構成する用紙はメイン用紙収容部から送り出すが、表紙など少数枚の用紙はそれ以外の用紙収容部から送り出して用紙束を形成する場合がある。この態様によれば、すべての積載順とメイン用紙収容部とを容易に対応付けることができる。このため、ユーザは、設定内容を変更する場合においても、表紙など少数の用紙の積載順のみを他の用紙収容部に対応付ければよく、ユーザの設定工数を抑制することができる。
【発明の効果】
【００２５】
本発明に係る用紙束形成装置によれば、複数の給紙部から送り出した用紙をユーザが求める順序で重ね合わせることができる。
【発明を実施するための最良の形態】
【００２６】
以下、図面を参照して本発明の実施の形態（以下、実施形態という）について詳細に説明する。
【００２７】
（第１の実施形態）
図１は、第１の実施形態に係る製本システム１０Ａの模式的な全体構成図である。製本システム１０Ａは、第１給紙装置１２、第２給紙装置１４、第３給紙装置１６、用紙加工装置１８、中綴じ折り装置２０、断裁装置２２、および管理装置２８を備える。本実施形態では、第１給紙装置１２および第２給紙装置１４は、同一の構成を有する。このため、第１給紙装置１２の構成を説明し第２給紙装置１４の構成の説明は省略する。
【００２８】
第１給紙装置１２は、給紙台３０、分離給送機構３２、および用紙束形成機構３４を有する。給紙台３０には、印刷、電子写真方式、インクジェット方式などによる画像形成方法によって画像が形成された用紙が積載される。したがって、給紙台３０は、用紙が収容される用紙収容部として機能する。給紙台３０は、用紙が積載された状態でユーザに押されることにより自身が持つキャスタで自走し、第１給紙装置１２内にセットされる。分離給送機構３２は、給紙台３０に積載された用紙のうち最上位の用紙を分離して送り出す。第１の実施形態に係る分離給送機構３２はエア吸引式のものが採用されている。エア吸引式の分離給送機構は公知であるため、その詳細な説明は省略する。なおエア吸引式の分離給送機構に代えて、いわゆるフリクション式の分離給送機構が設けられてもよいことは勿論である。
【００２９】
第１給紙装置１２は、給紙台３０を昇降させる昇降機構（図示せず）、および給紙台３０の昇降を制御する昇降制御部（図示せず）を有する。分離給送機構３２の周辺には用紙高さセンサ（図示せず）が設けられており、給紙台３０が上昇して給紙台３０に積載された用紙のうち最上位の用紙が分離給送機構３２による送り出し可能な給紙可能位置まで上昇したことを検知する。昇降制御部は、最上位の用紙が給紙可能位置に達したと検知されたときに給紙台３０の上昇を停止させる。こうして昇降制御部は、給紙台３０に積載された用紙の最上位の用紙の高さを給紙可能位置に維持し、分離給送機構３２による用紙の連続的な送り出しを可能としている。
【００３０】
なお、例えば、用紙加工装置１８において用紙が加工され、その加工された用紙のすぐ後ろに第１給紙装置１２から送り出される用紙を搬送する場合、用紙加工装置１８において用紙が加工されるまで第１給紙装置１２からの用紙の送り出しを待機する必要が生じる。このようなときの製本処理の生産性の低下を抑制すべく、第１給紙装置１２には用紙束形成機構３４が設けられている。用紙束形成機構３４は、第１給紙装置１２から送り出される用紙のすぐ前に用紙加工装置１８によって加工された用紙が搬送されるなどによって、中綴じ折り装置２０に送り込まれるタイミングが遅れる場合、分離給送機構３２から一枚ずつ送り出された用紙を停留させて重ね合わせる。用紙束形成機構３４は、用紙加工装置１８による用紙の加工が終了するタイミングで、複数の用紙を重ね合わせたまま用紙束として排出する。用紙束形成機構３４が重ね合わせる用紙の枚数は、管理ＰＣ９４においてユーザによって入力されてもよく、用紙加工装置１８による加工時間に基づいて管理ＰＣ９４または第２給紙装置１４、第３給紙装置１６の給紙制御部が算出してもよい。なお、第１給紙装置１２の用紙搬送路４４と第２給紙装置１４の用紙搬送路４４は接続されており、第１給紙装置１２の用紙搬送路４４から排出された用紙は、第２給紙装置１４の用紙搬送路４４を通過して用紙加工装置１８に送り込まれる。
【００３１】
第３給紙装置１６は、Ａトレイ３８Ａ、Ｂトレイ３８Ｂ、および分離給送機構４０を有する。Ａトレイ３８Ａは、Ｂトレイ３８Ｂよりも上方に設けられている。Ａトレイ３８ＡおよびＢトレイ３８Ｂは、モータ（図示せず）を作動させることにより各々が昇降可能に設けられている。以下、Ａトレイ３８ＡおよびＢトレイ３８Ｂを、必要に応じて「トレイ３８」と総称する。
【００３２】
Ａトレイ３８ＡおよびＢトレイ３８Ｂの各々にも、上述したような様々な画像形成方法によって画像が形成された用紙が積載される。したがって、Ａトレイ３８ＡおよびＢトレイ３８Ｂは、共に用紙を収容する用紙収容部として機能する。Ａトレイ３８ＡおよびＢトレイ３８Ｂには、画像が形成された用紙が複数重なり合った状態の用紙群が、製本作業者の手によってセットされる。
【００３３】
分離給送機構４０は、Ａトレイ３８ＡおよびＢトレイ３８Ｂの各々に対応して設けられる。分離給送機構４０は、Ａトレイ３８ＡまたはＢトレイ３８Ｂに積載された用紙のうち最上位の用紙を分離して送り出す。第１の実施形態に係る分離給送機構４０は、第１給紙装置１２および第２給紙装置１４と同様にエア吸引式のものが採用されている。このように、Ａトレイ３８Ａと分離給送機構４０との組合せ、およびＢトレイ３８Ｂと分離給送機構４０との組合せは、それぞれが用紙を送り出す給紙手段として機能する。
【００３４】
第３給紙装置１６に設けられた電子制御部（図示せず）は、Ａトレイ３８ＡおよびＢトレイ３８Ｂの各々の昇降および分離給送機構４０による用紙の送り出しを制御することにより、Ａトレイ３８ＡまたはＢトレイ３８Ｂに積載された用紙群から用紙を一枚ずつ送り出す。Ａトレイ３８ＡまたはＢトレイ３８Ｂから送り出された用紙は、第３給紙装置１６内の用紙搬送路３６に搬送される。用紙搬送路３６は、第２給紙装置１４の用紙搬送路４４に接続されており、用紙搬送路３６内で搬送された用紙は用紙搬送路４４を通過して用紙加工装置１８に送り込まれる。
【００３５】
用紙加工装置１８は、第１給紙装置１２、第２給紙装置１４、または第３給紙装置１６から送り込まれた用紙に、周縁部の切り落とす用紙切断処理および折り目付け処理を含む用紙加工処理を施す。用紙加工装置１８は、用紙切断機構５０および折り目付け機構５８を有する。用紙加工装置１８に搬送された用紙は、搬送路切換機構（図示せず）によって、メイン搬送路４６およびバイパス搬送路４８のいずれかに搬送される。用紙切断機構５０および折り目付け機構５８は、メイン搬送路４６周辺に配置されている。
【００３６】
たとえば、コピー機などで画像形成された用紙は周辺部に余白部分が生じる。このため、予め大きめの用紙を使って用紙に画像を形成し、製本処理時にこのような用紙の周縁部を切り落とす場合がある。用紙切断機構５０は、送り込まれた用紙の周縁部を切り落とすことにより、このような余白の部分を用紙から削除し、見栄えのよい冊子の作成を実現する。
【００３７】
用紙切断機構５０は、サイドガイド５２、左右端切断スリッタ５４、および前後端切断カッター５６を有する。サイドガイド５２は、各々が装置前後方向に一つずつ配置されるよう一対設けられ、メイン搬送路４６に搬送された用紙の搬送方向と平行な両側端と当接し、用紙の搬送方向と垂直な方向への移動を規制する。一対のサイドガイド５２の各々は、モータ（図示せず）を作動させて用紙搬送方向と垂直な方向にそれぞれ移動させることが可能となっている。
【００３８】
左右端切断スリッタ５４は、各々が装置前後方向に一つずつ配置されるよう一対設けられる。一対の左右端切断スリッタ５４の各々は、外周に刃が形成された一対の円盤状のカッターにより構成される。左右端切断スリッタ５４は、サイドガイド５２により両側端が規制された状態で、メイン搬送路４６に搬送された用紙の両側端部を用紙の搬送方向と平行な直線で切り落とす。一対の左右端切断スリッタ５４の各々は、モータ（図示せず）を作動させて用紙搬送方向と垂直な方向にそれぞれ移動させることが可能となっている。
【００３９】
前後端切断カッター５６は左右端切断スリッタ５４の下流側に設けられる。前後端切断カッター５６は、メイン搬送路４６の上方および下方にそれぞれ１つずつ配置されるよう一対設けられ、モータ（図示せず）が作動してメイン搬送路４６上方のカッターが下降し、メイン搬送路４６下方のカッターが上昇することにより、メイン搬送路４６に搬送された用紙の前端部および後端部を、用紙搬送方向と垂直な直線で切り落とす。このように用紙切断機構５０は、左右端切断スリッタ５４および前後端切断カッター５６により用紙の周縁部を切り落とす。
【００４０】
折り目付け機構５８は、例えば厚い用紙を簡易に折りたたむことができるよう、用紙搬送方向と垂直な直線状の折り目を用紙に成型する。折り目付け機構５８は、メイン搬送路４６を挟んで配置された一対の折り目付け部材を有し、上方の折り目付け部材には用紙搬送方向と垂直に延在し下方に突出する突出部が形成されている。モータ（図示せず）が作動してこの上方の折り目付け部材が下降し用紙を押圧することにより、用紙に折り目が成型される。
【００４１】
バイパス搬送路４８には、周縁部切り落とし処理や折り目付け処理が行われない用紙が搬送される。たとえば、第１給紙装置１２または第２給紙装置１４から複数の用紙が重なり合った用紙束が送り出された場合、送り出された用紙束はバイパス搬送路４８に搬送される。
【００４２】
中綴じ折り装置２０は、用紙加工装置１８から送り込まれた用紙に中綴じ折り処理を施す。中綴じ折り装置２０に送り込まれた用紙は、メイン搬送路６０に沿って搬送される。中綴じ折り装置２０は、綴じ機構６２、折り機構７２、折り無しスタッカ７３を有し、メイン搬送路６０の周辺には綴じ機構６２および折り機構７２が配置される。
【００４３】
綴じ機構６２は、サイドジョガー６６、ステッチャ７０、綴じストッパ６４、およびバックジョガー６８を有する。綴じ機構６２は、綴じ処理に先だって、用紙加工装置１８から送り込まれた用紙を送り込まれた順に積載し、一冊の冊子に含まれる用紙の合計枚数としてユーザに入力された枚数の用紙が重なり合った用紙束を作成する。したがって、綴じ機構６２は用紙束作成手段としても機能する。
【００４４】
サイドジョガー６６は一対設けられ、各々が綴じ機構６２において用紙束の側端部に当接し、用紙搬送方向と垂直な方向である用紙幅方向における用紙束の位置を位置決めする。綴じストッパ６４およびバックジョガー６８は、用紙が積載されて作成された用紙束の前端部および後端部にそれぞれ当接し、用紙束の用紙搬送方向における位置を位置決めする。ステッチャ７０は、綴じストッパ６４、サイドジョガー６６、およびバックジョガー６８によって位置決めされた用紙束に綴じ処理を施す。
【００４５】
折り機構７２は綴じ機構６２の下流側に設けられている。折り機構７２は、綴じ機構６２によって綴じ処理が実施された用紙束に、綴じた箇所で用紙束を折りたたむ折り処理を実施する。折り機構７２は、一対の折りローラ７８、折りナイフ７６、折りストッパ７４を有する。
【００４６】
綴じ機構６２にて綴じ処理が実施されると、綴じストッパ６４が下方に退避し、綴じられた用紙束が折り機構７２に送り込まれる。折り機構７２に送り込まれた用紙束は、前端部が折りストッパ７４に当接したところで用紙搬送方向の位置決めがされる。メイン搬送路６０の上方には一対の折りローラ７８が、軸方向が用紙搬送方向と垂直な方向に向くよう、用紙搬送方向に並設されている。折りナイフ７６は、モータ（図示せず）が作動することにより一対の折りローラ７８の間とメイン搬送路６０の下方とを上昇および下降することが可能となっている。折りストッパ７４により用紙束が用紙搬送方向の位置決めがされた状態で折りナイフ７６を上昇させることにより、用紙束が一対の折りローラ７８の間に巻き込まれる。一対の折りローラ７８は、強い力で用紙束を挟持しながら用紙束を上方に搬送するよう回転することにより、用紙束に折り目を付ける。一対の折りローラ７８によって折り目が付けられた冊子は、一対の折りローラ７８のニップ部から上方に向かう綴じ折り冊子搬送路８２を通ってベルト搬送機構８０に送り込まれる。ベルト搬送機構８０は、作成された冊子を断裁装置２２の用紙搬送路９２に送り出す。
【００４７】
なお、折りストッパ７４は、ソレノイドをオン・オフすることによりメイン搬送路６０に進退可能となっている。ユーザによって中綴じ折り処理による製本が選択されず綴じ処理による製本が選択された場合、綴じストッパ６４および折りストッパ７４はメイン搬送路６０から退避した状態となり、綴じ機構６２によって綴じ処理が施された用紙は、折りストッパ７４の下流に設けられた折り無しスタッカ７３に積載される。
【００４８】
断裁装置２２は、三方断裁機構８４を有する。三方断裁機構８４は、中綴じ折り装置２０から送り込まれた冊子の小口、または小口、天、地の三方を断裁して最終的な冊子を作成する。三方断裁機構８４は、小口断裁刃９０、用紙押さえ部８８、小口断裁ストッパ８６、サイドガイド（図示せず）、および一対の天地断裁刃（図示せず）を有する。
【００４９】
小口断裁ストッパ８６は、ソレノイド（図示せず）をオン・オフすることにより、用紙搬送路９２に進退可能とされている。冊子の小口を断裁する場合、断裁装置２２は、冊子が送り込まれるタイミングで小口断裁ストッパ８６を用紙搬送路９２に突出させておく。これにより、断裁装置２２に送り込まれた冊子は前端部が小口断裁ストッパ８６に当接して用紙搬送方向の位置決めがなされる。
【００５０】
一対のサイドガイドは、小口断裁刃９０よりも用紙搬送方向上流側（以下、単に「上流側」という）に配置され、各々の間隔の中心に搬送される冊子の中心が概ね重なるよう、断裁装置２２の前方および後方に一つずつ配置される。一対のサイドガイドの各々は板状に形成され、用紙搬送方向に延在し且つ用紙搬送路９２から上方に突出する。一対のサイドガイドには、一方が用紙幅方向に移動すれば、他方がその逆方向に同じ距離を移動するいわゆる中心振り分け方式が採用されている。サイドガイドによって案内されその間を通過した冊子は、断裁する前に揃えるべき天、地の位置に揃えられる。
【００５１】
用紙押さえ部８８は小口断裁ストッパ８６より上流側の用紙搬送路９２上方に配置され、モータ（図示せず）が作動することにより下降する。小口断裁刃９０は、用紙押さえ部８８より上流側の用紙搬送路９２上方に設けられ、後述する小口断裁モータが作動することにより下降する。小口断裁刃９０は、後述する小口断裁刃移動モータによって、ボールネジ機構などを介して用紙搬送方向に移動可能に構成されている。天地断裁刃は、用紙押さえ部８８の装置前方および後方の用紙搬送路９２上方にそれぞれ一つずつ設けられ、後述する天地断裁モータが作動することにより下降する。これら一対の天地断裁刃もまた、中心振り分け方式により相互に離間または近接する方向に移動可能とされている。一対の天地断裁刃は、後述する天地断裁刃移動モータが作動するによって、ギヤ機構などを介して相互に離間または近接する方向に移動する。
【００５２】
サイドガイドの間を通過することにより天、地の位置が揃えられ、且つ小口断裁ストッパ８６により用紙搬送方向の位置決めがされた状態で、用紙押さえ部８８が下降して冊子を押さえつける。このように冊子が押さえつけられた状態で、まず小口断裁刃９０が小口を断裁し、次に一対の天地断裁刃が、冊子の天と地を断裁する。断裁処理が施された冊子は、綴じ折りスタッカ２４上に搬送される。
【００５３】
管理装置２８は、管理ＰＣ（Personal Computer）９４、ディスプレイ９６、マウス９８、キーボード９７によって構成される。管理ＰＣ９４は、ＣＰＵ、ＲＯＭ、ＲＡＭ、ハードディスクなどを有し、第１給紙装置１２、第２給紙装置１４、第３給紙装置１６、用紙加工装置１８、中綴じ折り装置２０、および断裁装置２２とデータの送受信可能に接続されている。ディスプレイ９６、キーボード９７、およびマウス９８は管理ＰＣ９４に接続されている。
【００５４】
管理ＰＣ９４は、ディスプレイ９６に設定画面を表示することにより、ユーザによって各種の設定入力が可能な状態とする。キーボード９７やマウス９８を使ってユーザにより各種の設定入力がなされ、さらにディスプレイ９６に表示されたスタートボタンがクリックされると、管理ＰＣ９４は、設定内容を示す情報を第１給紙装置１２、第２給紙装置１４、第３給紙装置１６、用紙加工装置１８、中綴じ折り装置２０、および断裁装置２２の各々に送信すると共に、製本処理を開始する旨を示すスタート信号を送信する。第１給紙装置１２、第２給紙装置１４、第３給紙装置１６、用紙加工装置１８、中綴じ折り装置２０、および断裁装置２２の各々は、ＣＰＵ、ＲＯＭ、ＲＡＭを有し内部機構の動作を制御する制御部を有しており、スタート信号を受信すると、受信した設定内容に基づいた製本処理を実施する。
【００５５】
図２は、第１の実施形態に係る製本システム１０Ａの機能ブロック図である。なお、図２では、各種演算処理を実行するＣＰＵ、各種制御プログラムを格納するＲＯＭ、データ格納やプログラム実行のためのワークエリアとして利用されるＲＡＭなどのハードウェア、およびソフトウェアの連携によって実現される機能ブロックが描かれている。したがって、これらの機能ブロックはハードウェアおよびソフトウェアの組合せによって様々な形で実現することができる。
【００５６】
管理ＰＣ９４は、対応関係取得部１００、給紙タイミング制御部１０２、選択結果取得部１０４、合計枚数取得部１０６、および表示制御部１０８を有する。綴じ機構６２は、第１給紙装置１２、第２給紙装置１４、および第３給紙装置１６から送り込まれた用紙を送り込まれた順に積載して用紙束を作成し、作成した用紙束に対して綴じ処理を施す。したがって、綴じ機構６２は用紙束を作成する用紙束作成手段として機能する。綴じ機構６２において適切に用紙を積載するため、ユーザは、ディスプレイ９６に表示される給紙部設定画面において、作成すべき用紙束に含まれる複数の用紙の各々の積載順と、各々の用紙が送り出されるべき給紙台３０またはトレイ３８との対応関係を入力することができる。給紙部設定画面については後述する。対応関係取得部１００は、給紙部設定画面においてユーザによってこのように入力された積載順と給紙装置との対応関係を取得する。
【００５７】
給紙タイミング制御部１０２は、給紙台３０またはトレイ３８から送り出された用紙が、対応関係取得部１００によって取得された対応関係においてその給紙台３０またはトレイ３８に対応付けられた積載順に綴じ機構６２に送り込まれるよう、第１給紙装置１２、第２給紙装置１４、および第３給紙装置１６による用紙の送り出しタイミングを制御する。
【００５８】
ユーザは、ディスプレイ９６に表示される処理選択画面において、用紙束の中央で綴じ、綴じた位置で用紙束を折りたたんで冊子を作成する中綴じ折り処理を実施するか、用紙束の端部近傍を綴じて冊子を作成する綴じ処理を実施するかを選択することができる。中綴じ折り処理および綴じ処理のいずれかを選択する処理選択画面は公知であるため詳細な説明は省略する。選択結果取得部１０４は、中綴じ折り処理を実施するか綴じ処理を実施するかのユーザによる選択結果を取得する。
【００５９】
また、ユーザは、ディスプレイ９６に表示される基本画面において、作成すべき冊子に含まれる用紙の枚数である合計枚数を入力することができる。このような合計枚数を入力する画面は公知であることから詳細な説明は省略する。合計枚数取得部１０６は、ユーザによって入力された、作成すべき用紙束を構成する用紙の合計枚数を取得する。表示制御部１０８は、画像データ生成しディスプレイ９６に出力することにより、ディスプレイ９６に画像を表示させる。
【００６０】
第１給紙装置１２は第１給紙制御部１１０を有する。第１給紙制御部１１０は、第１給紙装置１２において、分離給送機構３２の動作を制御することにより給紙台３０からの用紙の送り出しを制御する。第２給紙装置１４は第２給紙制御部１１２を有する。第２給紙制御部１１２は、第２給紙装置１４において、分離給送機構３２の動作を制御することにより３０からの用紙の送り出しを制御する。第３給紙装置１６は第３給紙制御部１１４を有する。第３給紙装置１６は、第３給紙装置１６において、２つの分離給送機構４０の各々の動作を制御することにより、Ａトレイ３８ＡおよびＢトレイ３８Ｂからの用紙の送り出しを制御する。
【００６１】
中綴じ折り装置２０は、綴じ制御部１１６および折り制御部１１８を有する。綴じ制御部１１６は、綴じ機構６２による用紙束の作成および綴じ処理を制御する。例えばユーザによって中綴じ折り処理による製本が選択された場合、綴じ制御部１１６は、用紙束の中央を綴じることができるよう、綴じストッパ６４およびバックジョガー６８の用紙搬送方向の位置を調整する。また、例えばユーザによって用紙束の端部を綴じる綴じ処理による製本が選択された場合、綴じ制御部１１６は、綴じ位置として指定された用紙束の端部を綴じることができるよう、綴じストッパ６４およびバックジョガー６８の用紙搬送方向の位置を調整する。
【００６２】
折り制御部１１８は、折り機構７２による折処理を制御する。例えばユーザによって中綴じ折り処理による製本が選択された場合、折り制御部１１８は、綴じ位置に折りラインが重なるよう、折りストッパ７４の用紙搬送方向の位置を調整する。綴じられた用紙が折り機構７２に搬入されると、折り制御部１１８は、折りナイフ７６を上方に進出させて綴じ位置で用紙束を折りたたんで冊子を作成する。例えばユーザによって綴じ処理による製本が選択された場合、折り制御部１１８は、折りストッパ７４を下方へ退避させ、折り機構７２に送り込まれた冊子に折り処理を施さずにそのまま折り無しスタッカ７３に排出させる。
【００６３】
図３は、給紙部設定画面１２０の初期状態を示す図である。選択結果取得部１０４によって中綴じ折り処理の実施または綴じ処理の実施のユーザによる選択結果が取得されており、且つ合計枚数取得部１０６により、作成すべき用紙束を構成する用紙の合計枚数が取得されている場合、表示制御部１０８は、給紙部設定画面１２０を表示させるためのボタンをディスプレイ９６に表示させる。マウス９８を用いてユーザによりそのボタンがクリックされると、表示制御部１０８は、ディスプレイ９６に給紙部設定画面１２０を表示させる。
【００６４】
なお、選択結果取得部１０４によって中綴じ折り処理の実施または綴じ処理の実施のユーザによる選択結果が取得されていない場合、または、合計枚数取得部１０６により、作成すべき用紙束を構成する用紙の合計枚数が取得されていない場合、表示制御部１０８は、給紙部設定画面１２０の表示を回避する。具体的には、表示制御部１０８は、給紙部設定画面１２０を表示させるためのボタンをディスプレイ９６に表示させず、ユーザによる給紙部設定画面１２０を表示させるための入力操作を禁止することにより、給紙部設定画面１２０の表示を回避する。
【００６５】
給紙部設定画面１２０には、対応関係入力欄１２２、用紙画像１２４、給紙装置模式図１２６、ＯＫボタン１２８、およびキャンセルボタン１３０が表示される。給紙装置模式図１２６は、第１給紙装置１２、第２給紙装置１４、および第３給紙装置１６を模した図である。給紙装置模式図１２６では、第２給紙装置１４の給紙台３０に「Ａ」、第１給紙装置１２の給紙台３０に「Ｂ」の文字が付されており、第３給紙装置１６のＡトレイ３８Ａに「Ｃ」、Ｂトレイ３８Ｂに「Ｄ」の文字が付されている。
【００６６】
対応関係入力欄１２２は、Ａ〜Ｄの各々の用紙収容部毎に設けられた４つの列と、綴じ機構６２にて一冊の冊子分の用紙が積載されるときに最上位に積載される用紙から何枚目かを示す順序毎に設けられた複数の行により構成される表として表されている。以下、この順序を「用紙順」という。このように用紙順によって用紙の順を規定したのは、中綴じ折り冊子および綴じ冊子のどちらにおいても最上位に積載される用紙が表紙となり、最上位からの順を示したほうが最下位からの順を示すよりもユーザが理解しやすいからである。対応関係入力欄１２２には、合計枚数取得部１０６によって取得された、作成すべき冊子に含まれる用紙の合計枚数だけ用紙順が表示される。表示制御部１０８は、用紙の合計枚数が所定の数（例えば１０枚）より多い場合、スクロールすることによりすべての用紙順が表示されるよう、対応関係入力欄１２２を表示する。
【００６７】
対応関係入力欄１２２の各々の用紙収容部と各々の用紙順とが対応するすべての箇所には、チェックボックスが設けられている。ユーザは、マウス９８を用いてこのチェックボックスにチェックマークを入れることにより、どの用紙順の用紙がどの用紙収容部から送り出されるべきかを指定することができる。対応関係取得部１００は、合計枚数取得部１０６によって取得された用紙の合計枚数に１を加えて用紙順を引くことにより、その用紙順の用紙が綴じ機構６２において積載されるときの積載順を算出する。例えば、図３に示すように用紙の合計枚数が８枚のときに用紙順が２の用紙は、８＋１−２＝７枚目に綴じ機構６２に積載されるため、積載順は７となる。対応関係取得部１００は、算出した積載順を用いて、ユーザによって入力された用紙順と用紙収容部との対応関係を、綴じ機構６２において積載される積載順と、各々の用紙が送り出されるべき用紙収容部との対応関係として取得する。
【００６８】
対応関係入力欄１２２の左側には用紙画像１２４が表示される。表示制御部１０８は、合計枚数取得部１０６によって取得された用紙の合計枚数と同じ数だけ用紙画像１２４を表示させる。このとき、表示制御部１０８は、ユーザによって中綴じ折り処理が選択されている場合、折り処理が施されたときに折り曲げられる方向に各々が折れ曲がった用紙画像１２４を表示する。第１の実施形態に係る製本システム１０Ａでは折り機構７２によって用紙束が山型に折りたたまれるため、表示制御部１０８は、図３に示すように山型に折れ曲がった用紙画像１２４を表示する。このように用紙画像１２４を表示することで、ユーザは、給紙部設定画面１２０において用紙収容部と用紙順との対応関係を入力する場合においても、中綴じ折り処理が選択されていることを容易に確認することができる。
【００６９】
ＯＫボタン１２８がユーザによってクリックされると、表示制御部１０８は給紙部設定画面１２０を閉じ、対応関係取得部１００は、対応関係入力欄１２２のチェックボックスにチェックマークが入れられることにより取得した積載順と用紙収容部との関係をそのまま維持する。キャンセルボタン１３０がユーザによってクリックされると、表示制御部１０８は給紙部設定画面１２０を閉じ、対応関係取得部１００は、対応関係入力欄１２２のチェックボックスにチェックマークが入れられていた場合においても、取得した積載順と用紙収容部との対応関係を消去する。
【００７０】
なお、少なくとも１箇所の用紙順の用紙が送り出されるべき用紙収容部がユーザによって指定されていない状態でユーザによってＯＫボタン１２８がクリックされた場合、表示制御部１０８は、用紙収容部が指定されていない用紙がある旨を示すメッセージをディスプレイ９６に表示して給紙部設定画面１２０を継続して表示してもよい。これによって、冊子に含まれるいずれかの用紙がどの用紙収容部から送り出されるべきか指定されない状態となることを回避することができる。
【００７１】
また、給紙部設定画面１２０が表示された時点で、いずれかの給紙台３０またはトレイ３８に対応する箇所にチェックマークが入れられていてもよい。この場合、ユーザは、まだチェックマークが入れられていないチェックボックスをクリックすることで、積載順と用紙収容部との対応関係を変更することができる。表示制御部１０８は、まだチェックマークが入れられていないチェックボックスがクリックされた場合、クリックされた箇所にチェックマークを表示すると共に、それまでチェックマークが表示されていたチェックボックスからチェックマークを消去する。このような態様とすることで、いずれかの用紙順のチェックマークをユーザが入れ忘れることを抑制することができる。
【００７２】
なお、この場合、次の用紙加工装置１８への用紙搬送経路が一番短い第２給紙装置１４の給紙台３０を示す「Ａ」にデフォルトでチェックマークが入れられてもよい。また、表紙を収容する用紙収容部が予め決められている場合、その用紙収容部を、最後の積載順に対応する箇所にデフォルトでチェックマークが入れられてもよい。例えば通常はＡトレイ３８Ａに表紙が収容される場合、最後の積載順に対応する、用紙順が「１」の行に、Ａトレイ３８Ａを示す「Ｃ」にデフォルトでチェックマークが入れられていてもよい。
【００７３】
図４は、ユーザによって対応関係入力欄１２２のチェックボックスにチェックマークが入れられたときの給紙部設定画面１２０を示す図である。表示制御部１０８は、対応関係入力欄１２２にチェックマークが入れられることで取得された積載順と用紙収容部との対応関係を利用して、複数の用紙画像１２４の各々を、各々が表す用紙が送り出されるべき用紙収容部を識別可能な態様で給紙部設定画面１２０に表示する。このとき表示制御部１０８は、複数の用紙画像１２４の各々を、各々が表す用紙の積載順に下から上へと並べて給紙部設定画面１２０に表示させる。
【００７４】
対応関係入力欄１２２において、第２給紙装置１４の給紙台３０を示す「Ａ」の列は青で表示され、第１給紙装置１２の給紙台３０を示す「Ｂ」の列は赤で表示されている。また、Ａトレイ３８Ａを示す「Ｃ」の列は黒で表示され、Ｂトレイ３８Ｂを示す「Ｄ」の列は緑で表示されている。表示制御部１０８は、用紙画像１２４の各々を、各々が表す用紙が送り出されるべき用紙収容部を示す色で表示する。
【００７５】
例えば、図４に示す例では、対応関係入力欄１２２において、用紙順が１の用紙は、その用紙が送り出されるべき用紙収容部として「Ｃ」、すなわちＡトレイ３８Ａが指定されている。また、用紙順が２〜４の用紙は、それらの用紙が送り出されるべき用紙収容部として「Ａ」、すなわち第２給紙装置１４の給紙台３０が指定されている。また、用紙順が５の用紙は、その用紙が送り出されるべき用紙収容部として「Ｄ」、すなわちＢトレイ３８Ｂが指定されている。また、用紙順が７〜９の用紙は、それらの用紙が送り出されるべき用紙収容部として「Ｂ」、すなわち第１給紙装置１２の給紙台３０が指定されている。
【００７６】
この場合、表示制御部１０８は、用紙順が８〜６、すなわち積載順が１〜３の用紙を示す用紙画像１２４を、第１給紙装置１２の給紙台３０を示す赤で、下から１番目および２番目に表示する。また、表示制御部１０８は、用紙順が５、すなわち積載順が４の用紙を示す用紙画像１２４を、Ｂトレイ３８Ｂを示す緑で、下から４番目に表示する。また、表示制御部１０８は、用紙順が４〜２、すなわち積載順が５〜７の用紙を示す用紙画像１２４を、第２給紙装置１４の給紙台３０を示す青で、下から５〜７番目に表示する。さらに、表示制御部１０８は、用紙順が１、すなわち積載順が８の用紙を示す用紙画像１２４を、Ａトレイ３８Ａを示す黒で、下から８番目、すなわち最上位に表示する。
【００７７】
このように、用紙画像１２４の各々が、その用紙画像１２４が表す用紙が送り出されるべき用紙収容部に対応した色で表示されることにより、ユーザは、どの積載順の用紙がどの用紙収容部から送り出されるものかを容易に確認することができる。なお、表示制御部１０８は、用紙画像１２４の各々を、各々が表す用紙が送り出されるべき用紙収容部を示す模様で表示してもよい。
【００７８】
図５は、ユーザによって綴じ処理が選択されている場合の給紙部設定画面１２０を示す図である。用紙束の端部を綴じて冊子を作成する綴じ処理が選択されている場合、用紙束を折りたたむ折り処理は実施されない。このため、表示制御部１０８は、図５に示すように、ユーザによって綴じ処理が選択されている場合、水平方向に直線状に伸びる四角形状の用紙画像１２４を表示する。この場合も、合計枚数取得部１０６によって取得された用紙の合計枚数と同じ数だけ用紙画像１２４が表示される点は上述と同様である。このように用紙画像１２４を表示することで、ユーザは、給紙部設定画面１２０において用紙収容部と用紙順との対応関係を入力する場合においても、綴じ処理が選択されていることを容易に確認することができる。また、表示制御部１０８は、用紙画像１２４の各々を、各々が表す用紙が送り出されるべき用紙収容部を示す色で表示し、各々が表す用紙の積載順に並べて配置する点も上述と同様である。
【００７９】
図６は、一部の給紙装置が製本システム１０Ａに設置されなかった場合の給紙部設定画面１２０を示す図である。設置可能な給紙装置のうちいずれかの給紙装置が製本システム１０に設置されなかった場合、表示制御部１０８は、対応関係入力欄１２２および給紙装置模式図１２６において、設置されていない給紙装置に対応する箇所をグレイアウトして表示する。このとき表示制御部１０８は、管理ＰＣ９４と給紙装置とがデータを送受信可能に接続されているか否かを検知することにより給紙装置が設置されているか否かを判定する。
【００８０】
図６に示す例では、第１給紙装置１２および第２給紙装置１４が製本システム１０Ａに設けられていないときの給紙部設定画面１２０を示している。このとき給紙装置模式図１２６において、第１給紙装置１２および第２給紙装置１４を示す画像がグレイアウトして表示される。また、対応関係入力欄１２２においては、第２給紙装置１４を示す「Ｃ」の列、および第１給紙装置１２を示す「Ｄ」の列がグレイアウトして表示される。設置されていない給紙装置に対応する部分をこのように表示することで、ユーザは、用紙を送り出すべき給紙部を適切に選択することができる。
【００８１】
このとき表示制御部１０８は、対応関係入力欄１２２および給紙装置模式図１２６において、設置されていない給紙装置に対応する箇所の画像を消去してもよい。この場合、例えば第１給紙装置１２および第２給紙装置１４が製本システム１０Ａに設置されていない場合、給紙装置模式図１２６は第３給紙装置１６のみの図となる。また、対応関係入力欄１２２は、「Ｃ」の列と「Ｄ」の列が消去され、「Ａ」の列と「Ｂ」の列のみが表示される。さらにこの場合、対応関係取得部１００は、設置されていない給紙装置に対応するチェックボックスがユーザによってクリックされても、チェックマークが入れられた箇所における用紙順と用紙収容部との対応関係を取得しない。これに伴い、表示制御部１０８は、そのような箇所がユーザによってクリックされても、チェックボックスにチェックマークを表示させない。
【００８２】
図７は、ユーザによってスタートボタンが押されたときの各々の給紙装置の制御手順を示すフローチャートである。ユーザによってスタートボタンが押されると（Ｓ１０）、給紙タイミング制御部１０２は、用紙収容部から送り出された用紙が綴じ機構６２において積載順どおりに積載されるよう、選択された用紙収容部の各々から用紙を繰り出す給紙タイミングを算出し（Ｓ１２）、算出した給紙タイミングを示す給紙タイミング情報を対応する用紙収容部に送信する（Ｓ１４）。給紙タイミング情報は、給紙タイミングであることを示す信号であってもよく、またスタートボタンが押され製本処理が開始したことを示すスタート信号の受信タイミングからの時間を示す情報であってもよい。給紙タイミング情報を受信した各給紙装置の給紙制御部は、給紙タイミング情報が示す給紙タイミングで用紙を給紙するよう、分離給送機構の動作を制御する（Ｓ１６）。
【００８３】
なお、第１給紙装置１２または第２給紙装置１４において、連続する積載順の用紙を送り出す場合、用紙束形成機構３４にて連続する積載順の用紙を予め重ね合わせてから搬送し、綴じ機構６２に送り込んでも良い。これにより、用紙を一枚毎に送り出す場合に比べ、綴じ機構６２にて用紙束を迅速に積載することができ、製本処理の生産性を向上させることが可能となる。
【００８４】
給紙タイミング制御部１０２は、ユーザによって入力された、作成すべき冊子の部数、および冊子を構成する用紙の合計枚数に基づいて、給紙タイミング情報を送信する毎に最後の冊子を構成する用紙の搬送が完了したか否かを判定する（Ｓ１８）。用紙の搬送が完了していない場合（Ｓ１８のＮ）、再びＳ１４の処理に移行する。用紙の搬送が完了した場合（Ｓ１８のＹ）、給紙タイミング制御部１０２は各給紙装置への給紙タイミング情報の送信を停止し、各給紙装置からの用紙の送り出しを停止させる。
【００８５】
（第２の実施形態）
図８は、第２の実施形態に係る製本システム１０Ｂの模式的な全体構成図である。製本システム１０Ｂは、第１給紙装置１２、第２給紙装置１４、および第３給紙装置１６に代えて、丁合装置１４０が設けられている点以外は、第１の実施形態に係る製本システム１０Ａと同様である。なお、丁合装置１４０と共に、第１給紙装置１２、第２給紙装置１４、または第３給紙装置１６が設けられてもよい。
【００８６】
丁合装置１４０は、トレイ１４２と分離給送機構１４４との組合せを複数組有する。第２の実施形態に係る製本システム１０Ｂでは、６組のトレイ１４２および分離給送機構１４４が設けられている。トレイ１４２は、それぞれ上下方向に並設されている。トレイ１４２の各々は、モータ（図示せず）を作動させることにより昇降可能に設けられている。トレイ１４２にも、上述したような様々な画像形成方法によって画像が形成された用紙が積載される。したがって、トレイ１４２もまた用紙を収容する用紙収容部として機能する。トレイ１４２の各々には、画像が形成された用紙が複数重なり合った状態の用紙群が、製本作業者の手によってセットされる。
【００８７】
分離給送機構１４４は、トレイ１４２の各々に対応して設けられる。分離給送機構１４４は、対応するトレイ１４２に積載された用紙のうち最上位の用紙を分離して送り出す。分離給送機構１４４もまたエア吸引式のものが採用されている。このように、トレイ１４２と分離給送機構１４４との組合せの各々が用紙を送り出す給紙手段として機能する。
【００８８】
丁合装置１４０に設けられた給紙制御部（図示せず）は、トレイ１４２の各々の昇降および分離給送機構１４４による用紙の送り出しを制御することにより、トレイ１４２に積載された各々の用紙群から用紙を一枚ずつ送り出す。丁合装置１４０は、トレイ１４２から送り出された用紙を用紙搬送路１４６で一枚ずつ搬送する。なお、丁合装置１４０は、トレイ１４２から送り出された用紙を用紙搬送路１４６で互いに重ね合わせて用紙束として搬送することができるよう構成されていてもよい。
【００８９】
この場合においても、給紙部設定画面１２０には、綴じ機構６２にて積載される用紙の積載順とトレイ１４２との対応関係を入力するための対応関係入力欄が設けられる。対応関係取得部１００は、対応関係入力欄１２２にてユーザに入力された積載順とトレイ１４２との対応関係を取得する。給紙タイミング制御部１０２は、取得された対応関係を利用して、各々のトレイ１４２における用紙の送り出しタイミングを示す給紙タイミング情報を丁合装置１４０に送信する。丁合装置１４０の給紙制御部は、受信した給紙タイミング情報が示す給紙タイミングで、各々のトレイ１４２から用紙を送り出させる。これにより、このように丁合装置が設置された製本システムにおいても、冊子を構成する複数の用紙の積載順を高い自由度で設定することが可能となる。
【００９０】
また、トレイ１４２の各々には、用紙が積載されているか否かを検知する用紙センサが設けられている。このような用紙センサは公知であるため、用紙センサの詳細な説明は省略する。表示制御部１０８は、用紙センサによって用紙が積載されていないと検知された場合、対応関係入力欄１２２においてそのトレイ１４２を示す列をグレイアウトし、ユーザがチェックボックスにチェックマークが入れることを禁止する。これにより、用紙が積載されていないトレイ１４２がユーザに指定されることを回避することができる。
【００９１】
（第３の実施形態）
図９は、第３の実施形態に係る製本システムにおいて表示される給紙部設定画面１２０の一例を示す図である。なお、第３の実施形態に係る製本システムの構成は、上述の実施形態と同様である。以下、上述の実施形態と同様の個所については同一の符号を付して説明を省略する。また、第２給紙装置１４の給紙台３０を「用紙収容部Ａ」、第１給紙装置１２の給紙台３０を「用紙収容部Ｂ」、Ａトレイ３８Ａを「用紙収容部Ｃ」、Ｂトレイ３８Ｂを「用紙収容部Ｄ」として説明する。
【００９２】
表示制御部１０８は、境界設定部１５０を給紙部設定画面１２０に表示する。境界設定部１５０は対応関係入力欄１２２の左端部近傍に設けられる。境界設定部１５０は、バー１５２を含む。ユーザは、バー１５２をマウスでクリックしたままカーソルを上下させることで、バー１５２を上下方向に移動させることができる。
【００９３】
対応関係取得部１００は、対応関係入力欄１２２において、バー１５２を境界として、バー１５２より一方側に表示される少なくとも１つの積載順を所定の用紙収容部に対応付け、バー１５２より他方側に表示される少なくとも１つの積載順を他の所定の用紙収容部に対応付ける。第３の実施形態では、対応関係取得部１００は、用紙収容部Ｃおよび用紙収容部Ｄに対応付けられている積載順を除き、対応関係入力欄１２２においてバー１５２より上方に表示されているすべての積載順を用紙収容部Ａに対応付け、バー１５２より下方に表示されているすべての積載順を用紙収容部Ｂに対応付ける。このような境界設定部１５０を設けることにより、第１給紙装置１２および第２給紙装置１４の各々の給紙台３０と積載順とを容易に対応付けることが可能となる。
【００９４】
（第４の実施形態）
図１０は、第４の実施形態に係る製本システムにおいて表示される給紙部設定画面１２０の一例を示す図である。なお、第４の実施形態に係る製本システムの構成は、上述の実施形態と同様である。以下、上述の実施形態と同様の個所については同一の符号を付して説明を省略する。
【００９５】
表示制御部１０８は、積載順表示領域１５４を給紙部設定画面１２０に表示する。積載順表示領域１５４は、用紙画像１２４の近傍に表示される。表示制御部１０８は、第１給紙装置１２に表示された用紙画像１２４が表す各々の用紙の積載順をユーザが認識可能に積載順表示領域１５４を表示する。
【００９６】
第４の実施形態では、表示制御部１０８は、１枚目の積載順を示す数字をその積載順に対応する用紙画像の近傍に表示し、最終枚目の積載順を示す数字をその積載順に対応する用紙画像の近傍に表示する。表示制御部１０８は、１枚目と最終枚目の間の積載順は数字として表示することを回避し、その間に数字が継続していることを示す点を表示する。なお、表示制御部１０８は、すべての積載順の各々の数字を、その積載順に対応する用紙画像の近傍に表示してもよい。これにより、ユーザは用紙画像１２４および積載順表示領域１５４を見ることで、どの積載順の用紙がどの用紙収容部から送り出されるかをより明確に把握することが可能となる。
【００９７】
また、ユーザによって対応関係入力欄１２２のチェックボックスにチェックが入力された場合、表示制御部１０８は、用紙画像１２４に示される各々の用紙画像のうち、そのチェックボックスに対応する積載順に対応する用紙画像を他の用紙画像よりユーザから見て目立つよう強調表示させる。第４の実施形態では、表示制御部１０８は、用紙画像の輪郭となるラインを太くすることにより、その用紙画像を強調表示させる。なお、表示制御部１０８は、他の方法によって用紙画像を強調表示してもよいことは勿論である。これにより、ユーザは、チェックボックスにチェックを入力した用紙を用紙画像１２４において容易に確認することができる。
【００９８】
（第５の実施形態）
図１１は、第５の実施形態に係る製本システムにおいて表示される給紙部設定画面１２０の一例を示す図である。なお、第５の実施形態に係る製本システムの構成は、上述の実施形態と同様である。以下、上述の実施形態と同様の個所については同一の符号を付して説明を省略する。
【００９９】
表示制御部１０８は、用紙画像１６０を給紙部設定画面１２０に表示する。具体的には、表示制御部１０８は、合計枚数取得部１０６によって取得された用紙の合計枚数と同じ数だけ用紙画像１６０を表示させる。このとき表示制御部１０８は、ユーザによって中綴じ折り処理が選択されている場合、折り処理が施されたときに折り曲げられる方向に各々が折れ曲がった各々の用紙の斜視図である用紙画像１６０を表示する。第５の実施形態に係る製本システムでは折り機構７２によって用紙束が山型に折りたたまれるため、表示制御部１０８は、図３に示すように山型に折れ曲がった用紙画像１６０を表示する。
【０１００】
また、表示制御部１０８は、大容量トレイ表示欄１６２、小容量トレイ表示欄１６６、およびモード表示欄１７０を給紙部設定画面１２０の表示させる。大容量トレイ表示欄１６２は、給紙に使用する大容量の用紙収容部を表示する欄として利用され、小容量トレイ表示欄１６６は、給紙に使用する小容量の用紙収容部を表示する欄として利用される。モード表示欄１７０は、給紙モードを表示する欄として利用される。
【０１０１】
ユーザは、大容量トレイ表示欄１６２の右端部に表示されたボタン１６４をクリックすることで、大容量トレイ表示欄１６２から下方に伸びるプルダウンメニューを表示させることができる。表示制御部１０８は、ボタン１６４がクリックされたとき、製本システムに組み込まれている大容量用紙収容部をユーザに選択可能にプルダウンメニューに列挙する。第５の実施形態では、表示制御部１０８は、「Ａ」、「Ｂ」、「Ａ＋Ｂ」、「連段」のメニューを表示する。ユーザによっていずれかのメニューが選択された場合、表示制御部１０８は、プルダウンメニューを閉じると共にユーザによって選択された大容量の用紙収容部を大容量トレイ表示欄１６２に表示する。なお、表示制御部１０８は、製本システムを構成する給紙装置の数や種類に応じて、このプルダウンメニューに列挙されるメニューを変更する。
【０１０２】
「Ａ」は、大容量用紙収容部として用紙収容部Ａのみを使用する給紙モードを表す。「Ｂ」は、大容量用紙収容部として用紙収容部Ｂのみを使用する給紙モードを表す。「Ａ＋Ｂ」は、用紙収容部Ａおよび用紙収容部Ｂの各々に異なる積載順を対応付けて、双方を大容量用紙収容部として使用する給紙モードを表す。「連段」は、同一の積載順の用紙を、用紙収容部Ａおよび用紙収容部Ｂの双方に対応付けて大容量用紙収容部として使用する給紙モードを表す。
【０１０３】
「連段」がユーザによって選択されてスタートボタンが押された場合、給紙タイミング制御部１０２は、用紙収容部Ａおよび用紙収容部Ｂの一方の用紙が無くなったときに他方からの給紙を開始するよう用紙収容部Ａおよび用紙収容部Ｂからの用紙の送り出しを制御する。このような「連段」を利用することにより、用紙収容部に用紙がなくなる度に給紙を停止させる必要がなくなり、給紙動作の生産性低下を抑制することが可能となる。
【０１０４】
ユーザは、小容量トレイ表示欄１６６の右端部に表示されたボタン１６８をクリックすることで、小容量トレイ表示欄１６６から下方に伸びるプルダウンメニューを表示させることができる。表示制御部１０８は、ボタン１６８がクリックされたとき、製本システムに組み込まれている小容量用紙収容部をユーザが選択可能にプルダウンメニューに列挙する。第５の実施形態では、表示制御部１０８は、「オフ」、「Ｃ」、「Ｄ」、「Ｃ＋Ｄ」、「連段」のメニューを表示する。ユーザによっていずれかのメニューが選択された場合、表示制御部１０８は、プルダウンメニューを閉じると共にユーザによって選択された小容量の用紙収容部を小容量トレイ表示欄１６６に表示する。なお、表示制御部１０８は、製本システムを構成する給紙装置の数や種類に応じて、このプルダウンメニューに列挙されるメニューを変更する。
【０１０５】
「オフ」は小容量用紙収容部を選択しない給紙モードを表す。「Ｃ」は、小容量用紙収容部として用紙収容部Ｃのみを使用する給紙モードを表す。「Ｄ」は、小容量用紙収容部として用紙収容部Ｄのみを使用する給紙モードを表す。「Ｃ＋Ｄ」は、用紙収容部Ｃおよび用紙収容部Ｄの各々に異なる積載順を対応付けて、双方を小容量用紙収容部として使用する給紙モードを表す。「連段」は、同一の積載順の用紙を用紙収容部Ｃおよび用紙収容部Ｄの双方に対応付けて小容量用紙収容部として使用する給紙モードを表す。「連段」が選択された場合の給紙制御方法については上述と同様である。
【０１０６】
用紙収容部Ｃおよび用紙収容部Ｄなどの小容量用紙収容部は、表紙や２枚目の用紙の給紙に用いられる場合が多い。このため、管理ＰＣ９４は、ハードディスクやＲＯＭなどの記憶部（図示せず）を有しており、この記憶部には、用紙収容部Ａ〜Ｄの複数の用紙収容部のうち、所定用紙収容部と用紙の積載順とが予め対応付けられた所定対応関係が複数格納されている。第５の実施形態では、この所定対応関係において、所定用紙収容部として小容量用紙収容部である用紙収容部Ｃまたは用紙収容部Ｄと１枚目、２枚目、最終枚目、または最終枚目の１つ前の積載順とが予め対応付けられている。
【０１０７】
ユーザは、モード表示欄１７０の右端部に表示されたボタン１７２をクリックすることで、モード表示欄１７０から下方に伸びるプルダウンメニューを表示させることができる。表示制御部１０８は、ボタン１７２がクリックされたとき、大容量用紙収容部および小容量用紙収容部の双方の選択状況に応じたメニューを表示させる。
【０１０８】
図１１は、大容量用紙収容部として用紙収容部Ａが選択され、小容量用紙収容部として用紙収容部Ｃが選択された状態を例示している。なお、大容量用紙収容部として用紙収容部Ｂまたは連段が選択された場合も、使用される大容量用紙収容部が差し替えられるだけで以下の説明と同様である。また、小容量用紙収容部として用紙収容部Ｄまたは連段が選択された場合も、使用される小容量用紙収容部が差し替えられるだけで以下の説明と同様である。
【０１０９】
ボタン１７２がユーザによってクリックされた場合、表示制御部１０８は、モード表示欄１７０から下方に伸びるプルダウンメニューに「モード１」および「モード２」のメニューを列挙する。このうちモード１は、用紙収容部Ｃと用紙束の最終枚目の積載順とが対応付けられた所定対応関係として利用される。ユーザによってモード１が選択された場合、対応関係取得部１００は、記憶部に保持された複数の所定対応関係のうち、用紙収容部Ｃと最終枚目とが対応付けられた所定対応関係を取得する。
【０１１０】
このように頻度が高い組み合わせを所定対応関係として予め保持しておくことにより、ユーザは使用頻度の高い所定対応関係を選択することで、用紙収容部と積載順とを容易に対応付けることができる。このため、ユーザの設定工数を抑制することができる。なお、対応関係取得部１００は、大容量用紙収容部として用紙収容部Ａが選択され、小容量用紙収容部として用紙収容部Ｃが選択されたとき、初期状態としてモード１が選択された状態とする。
【０１１１】
対応関係取得部１００は、ユーザによって所定対応関係が選択された場合、合計枚数取得部１０６によって取得された用紙枚数分の積載順のうち所定用紙収容部に対応付けられていない積載順を、所定用紙収容部と異なる用紙収容部に対応付ける。例えば図１１に示す例では、対応関係取得部１００は、ユーザによって選択されたモード１においてまだ用紙収容部に対応付けられていない２〜５枚目の積載順を用紙収容部Ａに対応付ける。こうして対応関係取得部１００は、合計枚数取得部１０６によって取得された用紙枚数すべての積載順を用紙収容部に対応付ける。
【０１１２】
ユーザによってスタートボタンが押された場合、給紙タイミング制御部１０２は、用紙収容部Ｃから送り出された用紙が、取得された所定対応関係において用紙収容部Ｃに対応付けられた積載順、すなわち最終枚目に積載されるよう用紙の送り出しを制御する。また、給紙タイミング制御部１０２は、用紙収容部Ａから送り出された用紙が、用紙収容部Ａに対応付けられた積載順、すなわち１枚目から４枚目に積載されるよう用紙の送り出しを制御する。
【０１１３】
表示制御部１０８は、選択された用紙収容部と積載順とが対応付けられた表として対応関係入力欄１２２を表示する。したがって、大容量用紙収容部として用紙収容部Ａが選択され、小容量用紙収容部として用紙収容部Ｃが選択された場合、表示制御部１０８は、用紙収容部Ａおよび用紙収容部Ｃと各々の積載順とが対応付けられた表として対応関係入力欄１２２を表示する。表示制御部１０８は、モード１が選択された場合、用紙収容部Ｃの列において最終枚目の積載順のチェックボックスをチェックし、最終枚目以外の積載順については、用紙収容部Ａの列のチェックボックスをチェックした状態とする。
【０１１４】
また、表示制御部１０８は、複数の用紙画像１６０の各々を、各々が表す用紙が送り出されるべき用紙収容部を識別可能な態様で給紙部設定画面１２０に表示する。このとき表示制御部１０８は、複数の用紙画像１６０の各々を、各々が表す用紙の積載順に下から上へと並べて給紙部設定画面１２０に表示させる。
【０１１５】
図１２は、第５の実施形態に係る製本システムにおいて表示される給紙部設定画面１２０の他の一例を示す図である。モード２は、用紙収容部Ｃと用紙束の１枚目の積載順とが対応付けられた所定対応関係として利用される。図１２は、ユーザによってこのモード２が選択された状態を示している。ユーザによってモード２が選択された場合、対応関係取得部１００は、記憶部に保持された複数の所定対応関係のうち、用紙収容部Ｃと１枚目とが対応付けられた所定対応関係を取得する。また、対応関係取得部１００は、ユーザによって選択されたモード２においてまだ用紙収容部に対応付けられていない１〜４枚目の積載順を用紙収容部Ａに対応付ける。こうして対応関係取得部１００は、合計枚数取得部１０６によって取得された用紙枚数すべての積載順を用紙収容部に対応付ける。
【０１１６】
ユーザによってスタートボタンが押された場合、給紙タイミング制御部１０２は、用紙収容部Ｃから送り出された用紙が、取得された所定対応関係において用紙収容部Ｃに対応付けられた積載順、すなわち１枚目に積載されるよう用紙の送り出しを制御する。また、給紙タイミング制御部１０２は、用紙収容部Ａから送り出された用紙が、用紙収容部Ａに対応付けられた積載順、すなわち２枚目から５枚目に積載されるよう用紙の送り出しを制御する。なお、モード２が選択された場合、表示制御部１０８は、用紙収容部Ｃの列において１枚目の積載順のチェックボックスをチェックし、１枚目以外の積載順については、用紙収容部Ａの列のチェックボックスをチェックした状態とする。
【０１１７】
図１３は、第５の実施形態に係る製本システムにおいて表示される給紙部設定画面１２０の他の一例を示す図である。図１３は、大容量用紙収容部として用紙収容部Ａが選択され、小容量用紙収容部として用紙収容部Ｃおよび用紙収容部Ｄが選択された状態を例示している。なお、大容量用紙収容部として用紙収容部Ｂまたは連段が選択された場合も、大容量用紙収容部が差し替えられるだけで以下の説明と同様である。
【０１１８】
ボタン１７２がユーザによってクリックされた場合、表示制御部１０８は、モード表示欄１７０から下方に伸びるプルダウンメニューにモード１〜モード６のメニューを列挙する。このうちモード１は、用紙収容部Ｃと最終枚目の１つ前の積載順とが対応付けられ、用紙収容部Ｄと最終枚目の積載順とが対応付けられた所定対応関係として利用される。図１３は、ユーザによってこのモード１が選択された状態を示している。
【０１１９】
ユーザによってモード１が選択された場合、対応関係取得部１００は、記憶部に保持された複数の所定対応関係のうち、用紙収容部Ｃと最終枚目の１つ前の積載順とが対応付けられ、用紙収容部Ｄと最終枚目の積載順とが対応付けられた所定対応関係を取得する。また、対応関係取得部１００は、ユーザによって選択されたモード１においてまだ用紙収容部に対応付けられていない１〜３枚目の積載順を用紙収容部Ａに対応付ける。こうして対応関係取得部１００は、合計枚数取得部１０６によって取得された用紙枚数すべての積載順を用紙収容部に対応付ける。
【０１２０】
ユーザによってスタートボタンが押された場合、給紙タイミング制御部１０２は、用紙収容部Ａから送り出された用紙が用紙収容部Ａに対応付けられた積載順、すなわち１〜３枚目に積載されるよう用紙の送り出しを制御する。また、給紙タイミング制御部１０２は、用紙収容部Ｃから送り出された用紙が、取得された所定対応関係において用紙収容部Ｃに対応付けられた積載順、すなわち最終枚目の１つ前である４枚目に積載されるよう用紙の送り出しを制御する。また、給紙タイミング制御部１０２は、用紙収容部Ｄから送り出された用紙が、取得された所定対応関係において用紙収容部Ｄに対応付けられた積載順、すなわち最終枚目の５枚目に積載されるよう用紙の送り出しを制御する。
【０１２１】
モード１が選択された場合、表示制御部１０８は、用紙収容部Ｃの列において最終枚目の１つ前の積載順のチェックボックスをチェックし、用紙収容部Ｄの列において最終枚目の積載順のチェックボックスをチェックした状態とする。また表示制御部１０８は、用紙収容部Ａの列において、用紙収容部Ｃおよび用紙収容部Ｄにおいてチェックされていない１〜３枚目の積載順のチェックボックスをチェックした状態とする。なお、ユーザは、チェックボックスのチェック位置を変更することにより、用紙収容部と積載順との対応関係を変更することができることは勿論である。
【０１２２】
図１４は、第５の実施形態に係る製本システムにおいて表示される給紙部設定画面１２０の他の一例を示す図である。図１４も、大容量用紙収容部として用紙収容部Ａが選択され、且つ小容量用紙収容部として用紙収容部Ｃおよび用紙収容部Ｄが選択された状態を示している。この状態でボタン１７２がクリックされたときに列挙されるメニューのうち、モード２は、用紙収容部Ｃと最終枚目の積載順とが対応付けられ、用紙収容部Ｄと最終枚目の１つ前の積載順とが対応付けられた所定対応関係として利用される。図１４は、ユーザによってこのモード２が選択された状態を示している。
【０１２３】
ユーザによってモード２が選択された場合、対応関係取得部１００は、記憶部に保持された複数の所定対応関係のうち、用紙収容部Ｃと最終枚目の積載順とが対応付けられ、用紙収容部Ｄと最終枚目の１つ前の積載順とが対応付けられた所定対応関係を取得する。また、対応関係取得部１００は、ユーザによって選択されたモード２においてまだ用紙収容部に対応付けられていない１〜３枚目の積載順を用紙収容部Ａに対応付ける。
【０１２４】
ユーザによってスタートボタンが押された場合、給紙タイミング制御部１０２は、用紙収容部Ａから送り出された用紙が用紙収容部Ａに対応付けられた積載順、すなわち１〜３枚目に積載されるよう用紙の送り出しを制御する。また、給紙タイミング制御部１０２は、用紙収容部Ｃから送り出された用紙が、取得された所定対応関係において用紙収容部Ｃに対応付けられた積載順、すなわち最終枚目である５枚目に積載されるよう用紙の送り出しを制御する。また、給紙タイミング制御部１０２は、用紙収容部Ｄから送り出された用紙が、取得された所定対応関係において用紙収容部Ｄに対応付けられた積載順、すなわち最終枚目の１つ前の４枚目に積載されるよう用紙の送り出しを制御する。
【０１２５】
なお、モード２が選択された場合、表示制御部１０８は、用紙収容部Ｃの列において最終枚目である５枚目の積載順のチェックボックスをチェックし、用紙収容部Ｄの列において最終枚目の１つ前である４枚目の積載順のチェックボックスをチェックした状態とする。また表示制御部１０８は、用紙収容部Ａの列において、用紙収容部Ｃおよび用紙収容部Ｄにおいてチェックされていない１〜３枚目の積載順のチェックボックスをチェックした状態とする。なお、ユーザは、チェックボックスのチェック位置を変更することにより、用紙収容部と積載順との対応関係を変更することができることは勿論である。
【０１２６】
図１５は、第５の実施形態に係る製本システムにおいて表示される給紙部設定画面１２０の他の一例を示す図である。図１５も、大容量用紙収容部として用紙収容部Ａが選択され、且つ小容量用紙収容部として用紙収容部Ｃおよび用紙収容部Ｄが選択された状態を示している。この状態でボタン１７２がクリックされたときに列挙されるメニューのうち、モード３は、用紙収容部Ｃと２枚目の積載順とが対応付けられ、用紙収容部Ｄと１枚目の積載順とが対応付けられた所定対応関係として利用される。図１５は、ユーザによってこのモード３が選択された状態を示している。
【０１２７】
ユーザによってモード３が選択された場合、対応関係取得部１００は、記憶部に保持された複数の所定対応関係のうち、用紙収容部Ｃと２枚目の積載順とが対応付けられ、用紙収容部Ｄと１枚目の積載順とが対応付けられた所定対応関係を取得する。また、対応関係取得部１００は、ユーザによって選択されたモード３においてまだ用紙収容部に対応付けられていない３〜５枚目の積載順を用紙収容部Ａに対応付ける。
【０１２８】
ユーザによってスタートボタンが押された場合、給紙タイミング制御部１０２は、用紙収容部Ａから送り出された用紙が用紙収容部Ａに対応付けられた積載順、すなわち３〜５枚目に積載されるよう用紙の送り出しを制御する。また、給紙タイミング制御部１０２は、用紙収容部Ｃから送り出された用紙が、取得された所定対応関係において用紙収容部Ｃに対応付けられた積載順、すなわち２枚目に積載されるよう用紙の送り出しを制御する。また、給紙タイミング制御部１０２は、用紙収容部Ｄから送り出された用紙が、取得された所定対応関係において用紙収容部Ｄに対応付けられた積載順、すなわち１枚目に積載されるよう用紙の送り出しを制御する。
【０１２９】
なお、モード３が選択された場合、表示制御部１０８は、用紙収容部Ｃの列において２枚目の積載順のチェックボックスをチェックし、用紙収容部Ｄの列において１枚目の積載順のチェックボックスをチェックした状態とする。また表示制御部１０８は、用紙収容部Ａの列において、用紙収容部Ｃおよび用紙収容部Ｄにおいてチェックされていない３〜５枚目の積載順のチェックボックスをチェックした状態とする。なお、ユーザは、チェックボックスのチェック位置を変更することにより、用紙収容部と積載順との対応関係を変更することができることは勿論である。
【０１３０】
図１６は、第５の実施形態に係る製本システムにおいて表示される給紙部設定画面１２０の他の一例を示す図である。図１６も、大容量用紙収容部として用紙収容部Ａが選択され、且つ小容量用紙収容部として用紙収容部Ｃおよび用紙収容部Ｄが選択された状態を示している。この状態でボタン１７２がクリックされたときに列挙されるメニューのうち、モード４は、用紙収容部Ｃと１枚目の積載順とが対応付けられ、用紙収容部Ｄと２枚目の積載順とが対応付けられた所定対応関係として利用される。図１６は、ユーザによってこのモード４が選択された状態を示している。
【０１３１】
ユーザによってモード４が選択された場合、対応関係取得部１００は、記憶部に保持された複数の所定対応関係のうち、用紙収容部Ｃと１枚目の積載順とが対応付けられ、用紙収容部Ｄと２枚目の積載順とが対応付けられた所定対応関係を取得する。また、対応関係取得部１００は、ユーザによって選択されたモード４においてまだ用紙収容部に対応付けられていない３〜５枚目の積載順を用紙収容部Ａに対応付ける。
【０１３２】
ユーザによってスタートボタンが押された場合、給紙タイミング制御部１０２は、用紙収容部Ａから送り出された用紙が用紙収容部Ａに対応付けられた積載順、すなわち３〜５枚目に積載されるよう用紙の送り出しを制御する。また、給紙タイミング制御部１０２は、用紙収容部Ｃから送り出された用紙が、取得された所定対応関係において用紙収容部Ｃに対応付けられた積載順、すなわち１枚目に積載されるよう用紙の送り出しを制御する。また、給紙タイミング制御部１０２は、用紙収容部Ｄから送り出された用紙が、取得された所定対応関係において用紙収容部Ｄに対応付けられた積載順、すなわち２枚目に積載されるよう用紙の送り出しを制御する。
【０１３３】
なお、モード４が選択された場合、表示制御部１０８は、用紙収容部Ｃの列において１枚目の積載順のチェックボックスをチェックし、用紙収容部Ｄの列において２枚目の積載順のチェックボックスをチェックした状態とする。また表示制御部１０８は、用紙収容部Ａの列において、用紙収容部Ｃおよび用紙収容部Ｄにおいてチェックされていない３〜５枚目の積載順のチェックボックスをチェックした状態とする。なお、ユーザは、チェックボックスのチェック位置を変更することにより、用紙収容部と積載順との対応関係を変更することができることは勿論である。
【０１３４】
図１７は、第５の実施形態に係る製本システムにおいて表示される給紙部設定画面１２０の他の一例を示す図である。図１７も、大容量用紙収容部として用紙収容部Ａが選択され、且つ小容量用紙収容部として用紙収容部Ｃおよび用紙収容部Ｄが選択された状態を示している。この状態でボタン１７２がクリックされたときに列挙されるメニューのうち、モード５は、用紙収容部Ｃと１枚目の積載順とが対応付けられ、用紙収容部Ｄと最終枚目の積載順とが対応付けられた所定対応関係として利用される。図１７は、ユーザによってこのモード５が選択された状態を示している。
【０１３５】
ユーザによってモード５が選択された場合、対応関係取得部１００は、記憶部に保持された複数の所定対応関係のうち、用紙収容部Ｃと１枚目の積載順とが対応付けられ、用紙収容部Ｄと最終枚目である５枚目の積載順とが対応付けられた所定対応関係を取得する。また、対応関係取得部１００は、ユーザによって選択されたモード５においてまだ用紙収容部に対応付けられていない２〜４枚目の積載順を用紙収容部Ａに対応付ける。
【０１３６】
ユーザによってスタートボタンが押された場合、給紙タイミング制御部１０２は、用紙収容部Ａから送り出された用紙が用紙収容部Ａに対応付けられた積載順、すなわち２〜４枚目に積載されるよう用紙の送り出しを制御する。また、給紙タイミング制御部１０２は、用紙収容部Ｃから送り出された用紙が、取得された所定対応関係において用紙収容部Ｃに対応付けられた積載順、すなわち１枚目に積載されるよう用紙の送り出しを制御する。また、給紙タイミング制御部１０２は、用紙収容部Ｄから送り出された用紙が、取得された所定対応関係において用紙収容部Ｄに対応付けられた積載順、すなわち最終枚目である５枚目に積載されるよう用紙の送り出しを制御する。
【０１３７】
なお、モード５が選択された場合、表示制御部１０８は、用紙収容部Ｃの列において１枚目の積載順のチェックボックスをチェックし、用紙収容部Ｄの列において最終枚目である５枚目の積載順のチェックボックスをチェックした状態とする。また表示制御部１０８は、用紙収容部Ａの列において、用紙収容部Ｃおよび用紙収容部Ｄにおいてチェックされていない２〜４枚目の積載順のチェックボックスをチェックした状態とする。なお、ユーザは、チェックボックスのチェック位置を変更することにより、用紙収容部と積載順との対応関係を変更することができることは勿論である。
【０１３８】
図１８は、第５の実施形態に係る製本システムにおいて表示される給紙部設定画面１２０の他の一例を示す図である。図１８も、大容量用紙収容部として用紙収容部Ａが選択され、且つ小容量用紙収容部として用紙収容部Ｃおよび用紙収容部Ｄが選択された状態を示している。この状態でボタン１７２がクリックされたときに列挙されるメニューのうち、モード６は、用紙収容部Ｃと最終枚目の積載順とが対応付けられ、用紙収容部Ｄと１枚目の積載順とが対応付けられた所定対応関係として利用される。図１８は、ユーザによってこのモード６が選択された状態を示している。
【０１３９】
ユーザによってモード６が選択された場合、対応関係取得部１００は、記憶部に保持された複数の所定対応関係のうち、用紙収容部Ｃと最終枚目である５枚目の積載順とが対応付けられ、用紙収容部Ｄと１枚目の積載順とが対応付けられた所定対応関係を取得する。また、対応関係取得部１００は、ユーザによって選択されたモード６においてまだ用紙収容部に対応付けられていない２〜４枚目の積載順を用紙収容部Ａに対応付ける。
【０１４０】
ユーザによってスタートボタンが押された場合、給紙タイミング制御部１０２は、用紙収容部Ａから送り出された用紙が用紙収容部Ａに対応付けられた積載順、すなわち２〜４枚目に積載されるよう用紙の送り出しを制御する。また、給紙タイミング制御部１０２は、用紙収容部Ｃから送り出された用紙が、取得された所定対応関係において用紙収容部Ｃに対応付けられた積載順、すなわち最終枚目である５枚目に積載されるよう用紙の送り出しを制御する。また、給紙タイミング制御部１０２は、用紙収容部Ｄから送り出された用紙が、取得された所定対応関係において用紙収容部Ｄに対応付けられた積載順、すなわち１枚目に積載されるよう用紙の送り出しを制御する。
【０１４１】
なお、モード６が選択された場合、表示制御部１０８は、用紙収容部Ｃの列において最終枚目である５枚目の積載順のチェックボックスをチェックし、用紙収容部Ｄの列において１枚目の積載順のチェックボックスをチェックした状態とする。また表示制御部１０８は、用紙収容部Ａの列において、用紙収容部Ｃおよび用紙収容部Ｄにおいてチェックされていない２〜４枚目の積載順のチェックボックスをチェックした状態とする。なお、ユーザは、チェックボックスのチェック位置を変更することにより、用紙収容部と積載順との対応関係を変更することができることは勿論である。
【０１４２】
（第６の実施形態）
図１９は、第６の実施形態に係る製本システムにおいて表示される給紙部設定画面１２０の一例を示す図である。図１９は、大容量用紙収容部として用紙収容部Ａおよび用紙収容部Ｂが選択され、小容量用紙収容部として用紙収容部Ｃおよび用紙収容部Ｄが選択された状態を例示している。
【０１４３】
第６の実施形態では、対応関係取得部１００は、選択された大容量用紙収容部を、作成すべき用紙束に含まれる複数の用紙のうち最も多く用紙を送り出すメイン用紙収容部として特定する。対応関係取得部１００は、特定した大容量用紙収容部とすべての積載順とを対応付ける。なお、対応関係取得部１００は、特定した大容量用紙収容部と、作成すべき用紙束に含まれる複数の用紙のうち１枚以上の用紙の積載順とを対応付けてもよい。
【０１４４】
また、対応関係取得部１００は、選択された大容量用紙収容部が複数ある場合、使用頻度が高い大容量用紙収容部をメイン用紙収容部として特定する。具体的には、対応関係取得部１００は、スタートボタンが押されて用紙搬送が開始されると、用紙収容部の各々から送り出された用紙の数をカウントしてその値を保持する。対応関係取得部１００は、給紙開始から給紙終了までを１回の給紙工程として、例えば過去１０回分の給紙工程において用紙のカウント値が最も高い大容量用紙収容部をメイン用紙収容部として特定する。
【０１４５】
なお、メイン用紙収容部を特定する方法はこれに限られないことは勿論である。例えば対応関係取得部１００は、用紙収容部Ａおよび用紙収容部Ｂが大容量用紙収容部として選択された場合、用紙収容部Ａおよび用紙収容部Ｂの一方を常にメイン用紙収容部として特定してもよい。また、対応関係取得部１００は、用紙収容部Ａおよび用紙収容部Ｂのうちユーザによって選択された用紙収容部をメイン用紙収容部として特定してもよい。
【０１４６】
第６の実施形態において利用されるこのような設定状態をマニュアルモードという。表示制御部１０８はモード表示欄１７０に「マニュアル」の文字を表示することにより、マニュアルモードが初期状態において設定されたことを表示する。
【０１４７】
このように大容量用紙収容部にすべての積載順を予め対応付けておくことにより、ユーザは表紙など少数枚の用紙についてだけ設定し直すことにより設定作業を完了させることができる。このため、ユーザの設定工数を抑制することができる。
【０１４８】
（第７の実施形態）
図２０は、第７の実施形態に係る製本システムにおいて表示される給紙部設定画面１２０の一例を示す図である。図２０もまた、大容量用紙収容部として用紙収容部Ａおよび用紙収容部Ｂが選択され、小容量用紙収容部として用紙収容部Ｃおよび用紙収容部Ｄが選択された状態を例示している。
【０１４９】
対応関係取得部１００は、選択された大容量用紙収容部を、作成すべき用紙束に含まれる複数の用紙のうち最も多く用紙を送り出すメイン用紙収容部として特定する。しかし、第７の実施形態では、対応関係取得部１００は、特定した大容量用紙収容部と、すべての積載順のうち一部を除く積載順とを対応付ける。
【０１５０】
具体的には、小容量用紙収容部として用紙収容部Ｃおよび用紙収容部Ｄが選択された場合、対応関係取得部１００は、モード１、すなわち、用紙収容部Ｄと最終枚目の積載順が対応付けられ、用紙収容部Ｃと最終枚目の１つ前の積載順とが対応付けられた所定対応関係を初期状態において選択する。このため、対応関係取得部１００は、特定した大容量用紙収容部と１枚目から最終枚目の２つ前までの積載順とを対応付ける。このときも対応関係取得部１００は、選択された大容量用紙収容部が複数ある場合、使用頻度が高い大容量用紙収容部をメイン用紙収容部として特定する。このときの特定方法は第６の実施形態と同様である。
【０１５１】
このように大容量用紙収容部に大部分の積載順を予め対応付けておくことにより、ユーザは表紙など少数枚の用紙についてだけ設定し直すことにより設定作業を完了させることができる。このため、ユーザの設定工数を抑制することができる。なお、対応関係取得部１００は、例えば作成すべき用紙束に含まれる用紙枚数の半分以上の積載順を、特定したメイン用紙収容部に対応づけてもよい。
【０１５２】
また、対応関係取得部１００は、１枚目、２枚目、最終枚目、および最終枚目の１つ前の積載順の少なくとも１つを除く積載順とメイン用紙収容部とを対応付けてもよい。このとき、対応関係取得部１００は、メイン用紙収容部と対応付けなかった積載順をどの用紙収容部にも対応付けなくてもよい。この場合、対応付けられていない積載順のチェックボックスはチェックされていない状態となる。ユーザは、チェックされていないチェックボックスをチェックすることで、用紙収容部と積載順とを迅速に対応付けることが可能となる。
【０１５３】
本発明は上述の実施形態に限定されるものではない。また、当業者の知識に基づいて各種の設計変更等の変形を上述の実施形態に対して加えることも可能であり、そのような変形が加えられた実施形態も本発明の範囲に含まれうる。以下、そうした例をあげる。
【０１５４】
ある変形例では、給紙部設定画面１２０において、中綴じ折り処理の実施および綴じ処理のいずれかをユーザが選択するための処理選択ボタンが表示される。選択結果取得部１０４は、ユーザにより処理選択ボタンがクリックされたとき、クリックされた処理選択ボタンに対応する処理を取得する。表示制御部１０８は、ユーザにより中綴じ折り処理の実施を選択するための処理選択ボタンがクリックされた場合、山型に折れ曲がった用紙画像１２４を表示する。また、ユーザにより綴じ処理の実施を選択するための処理選択ボタンがクリックされた場合、水平方向に直線状に伸びる四角形状の用紙画像１２４を表示する。このように給紙部設定画面１２０において中綴じ折り処理を実施するか綴じ処理を実施するかを選択可能とすることにより、用紙画像１２４を見て中綴じ折り処理を実施するか綴じ処理を実施するかを再選択したいとユーザが考えた場合においても、別の画面を表示させることなく簡易に再選択することができる。
【０１５５】
ある別の変形例では、給紙部設定画面１２０において、一冊の冊子を作成するために必要な用紙の合計枚数を入力する合計枚数入力欄が設けられる。合計枚数取得部１０６は、ユーザにより合計枚数入力欄に表示された数値が変更された場合、変更後の数値を、一冊の冊子に含まれる用紙の合計枚数として取得する。このとき表示制御部１０８は、行数が変更後の用紙の合計枚数となるよう、対応関係入力欄１２２を変更して表示する。また、表示制御部１０８は、変更後の用紙の合計枚数の用紙画像１２４を表示する。このように給紙部設定画面１２０において用紙の合計枚数も入力可能とすることにより、対応関係入力欄１２２や用紙画像１２４を見て用紙の合計枚数を変更したいと考えた場合においても、別の画面を表示させることなく簡易に用紙の合計枚数を変更することができる。
【０１５６】
ある別の変形例では、対応関係入力欄１２２は、Ａ〜Ｄの各々の用紙収容部毎に設けられた４つの列と、綴じ機構６２にて一冊の冊子分の用紙が積載されるときの積載順毎に設けられた複数の行により構成される表として表されている。すなわち、上述の実施形態と上下逆となる。対応関係入力欄１２２には作成すべき冊子に含まれる用紙の合計枚数だけ積載順が表示される点や、用紙の合計枚数が所定の数（例えば１０枚）より多い場合スクロールすることによりすべての積載順が表示される点は前述と同様である。
【０１５７】
給紙台３０やトレイ３８から送り出された用紙が連続して綴じ機構６２において積載される場合、給紙台３０やトレイ３８には、複数ページ分の用紙が、綴じ機構６２において積載されるときと上下逆に積載される。これは、給紙台３０やトレイ３８から一枚ずつ用紙を送り出して綴じ機構６２で積載するためである。このように対応関係入力欄１２２に積載順を表示することにより、給紙台３０やトレイ３８において積載される用紙の順と対応関係入力欄１２２の積載順とを同様に表示することができる。このため、積載順と用紙収容部との対応関係の入力を分かりやすく且つ容易なものとすることができる。
【０１５８】
ある別の変形例では、第５の実施形態において、記憶部は、大容量用紙収容部として用紙収容部Ａおよび用紙収容部Ｂが選択され、小容量用紙収容部として「オフ」が選択された場合における所定対応関係を保持する。この変形例では、所定対応関係は、用紙収容部Ａを大容量用紙収容部とし、用紙収容部Ｂを小容量用紙収容部と同様に扱ったものを含む。
【０１５９】
具体的には、記憶部には、モード１およびモード２の所定対応関係が保持される。モード１は、用紙収容部Ｂと最終枚目の積載順とが対応付けられた所定対応関係として利用される。モード２は、紙収容部Ｂと１枚目の積載順とが対応付けられた所定対応関係として利用される。
【０１６０】
このため、モード１が選択された場合、対応関係取得部１００は、用紙収容部Ｂと最終枚目の積載順とが対応付けられた所定対応関係を取得し、その他の積載順を用紙収容部Ａに対応付ける。また、モード２が選択された場合、対応関係取得部１００は、用紙収容部Ｂと１枚目の積載順とが対応付けられた所定対応関係を取得し、その他の積載順を用紙収容部Ａに対応付ける。なお、対応関係取得部１００は、用紙収容部Ｂを大容量用紙収容部とし、用紙収容部Ａを小容量用紙収容部と同様に扱ってもよい。また、対応関係取得部１００は、用紙収容部Ａおよび用紙収容部Ｂのうちユーザによって選択された方を大容量用紙収容部として扱ってもよい。これによって、大容量用紙収容部のみが複数選択された場合においても、ユーザの設定工数を抑制することができる。
【０１６１】
なお、用紙収容部Ｃおよび用紙収容部Ｄが存在しない製本システムを構成した場合も同様である。この場合、表示制御部１０８は、小容量トレイ表示欄１６６の給紙部設定画面１２０への表示を回避する。
【０１６２】
ある別の変形例では、第５の実施形態において、記憶部は、大容量用紙収容部として用紙収容部Ａおよび用紙収容部Ｂが選択され、小容量用紙収容部として用紙収容部Ｃ、用紙収容部Ｄ、および連段のいずれかが選択された場合における所定対応関係を保持する。この変形例では、所定対応関係は、用紙収容部Ａを大容量用紙収容部とし、用紙収容部Ｂを小容量用紙収容部と同様に扱ったものを含む。
【０１６３】
具体的には、記憶部には、モード１〜６の所定対応関係が保持される。このモード１〜６は、用紙収容部Ｄに代えて用紙収容部Ｂが利用される以外は、第５の実施形態に係るモード１〜６と同様である。これによって、大容量用紙収容部を利用して表紙を送り出す場合などにおいて、ユーザの設定工数を抑制することができる。
【０１６４】
ある別の変形例では、第５の実施形態において、記憶部は、大容量用紙収容部として用紙収容部Ａおよび用紙収容部Ｂが選択され、小容量用紙収容部として用紙収容部Ｃおよび用紙収容部Ｄが選択された場合における所定対応関係を保持する。この変形例では、所定対応関係は、用紙収容部Ａを大容量用紙収容部とし、用紙収容部Ｂを小容量用紙収容部と同様に扱ったものを含む。
【０１６５】
具体的には、記憶部には、用紙収容部Ｂ、用紙収容部Ｃ、および用紙収容部Ｄと、１〜３枚目、最終用紙〜２つ前のいずれかの積載順が対応付けられた様々な所定対応関係が保持されている。対応関係取得部１００は、いずれかの所定対応関係に対応するモードがユーザによって選択された場合、用紙収容部Ｂ、用紙収容部Ｃ、および用紙収容部Ｄの各々と、その所定対応関係において対応付けられている積載順とを対応付ける。また、対応関係取得部１００は、用紙収容部Ｂ、用紙収容部Ｃ、および用紙収容部Ｄのいずれにも対応付けられていない積載順を用紙収容部Ａに対応付ける。これによって、３枚の表紙または挿入紙を使用する場合においてもユーザの設定工数を抑制することができる。
【０１６６】
ある別の変形例では、第５の実施形態において、一つの用紙収容部と１枚目および最終枚目の双方の積載順とが対応付けられた所定対応関係が記憶部に保持されていている。この用紙収容部は、用紙収容部Ｃや用紙収容部Ｄなどの小容量用紙収容部であってもよく、用紙収容部Ａや用紙収容部Ｂなどの大容量用紙収容部であってもよい。対応関係取得部１００は、この所定対応関係がユーザによって選択された場合、選択された所定対応関係を取得すると共に、その他の積載順を他の用紙収容部に対応付ける。これにより、１つの用紙収容部から１枚目および最終枚の双方の用紙を送り出すことができる。
【０１６７】
ある別の変形例では、第５の実施形態において、一つの用紙収容部と１枚目、２枚目、最終枚目、および最終枚目の１つ前の４つの積載順のうち２以上の積載順とが対応付けられた所定対応関係が記憶部に保持されている。なお、これら４つの積載順のうち２つの積載順と第１の用紙収容部とが対応付けられると共に、これら４つの積載順のうち他の２つの積載順と第２の用紙収容部とが対応付けられた所定対応関係が記憶部に保持されていてもよい。例えば、１枚目および最終枚目の双方の積載順と第１の用紙収容部が対応付けられると共に、２枚目および最終枚目の１つ前の積載順と第２の用紙収容部とが対応付けられた所定対応関係が記憶部に保持されていてもよい。第１の用紙収容部および第２の用紙収容部の各々は、用紙収容部Ｃや用紙収容部Ｄなどの小容量用紙収容部であってもよく、用紙収容部Ａや用紙収容部Ｂなどの大容量用紙収容部であってもよい。ユーザによってこの所定対応関係が選択された場合、対応関係取得部１００は、選択された所定対応関係を取得すると共に、その他の積載順を他の用紙収容部に対応付ける。これにより、これら４つの積載順の用紙を４つより少ない用紙収容部から送り出すことができる。
【図面の簡単な説明】
【０１６８】
【図１】第１の実施形態に係る製本システムの模式的な全体構成図である。
【図２】第１の実施形態に係る製本システムの機能ブロック図である。
【図３】給紙部設定画面の初期状態を示す図である。
【図４】ユーザによって対応関係入力欄のチェックボックスにチェックマークが入れられたときの給紙部設定画面を示す図である。
【図５】ユーザによって綴じ処理が選択されている場合の給紙部設定画面を示す図である。
【図６】一部の給紙装置が製本システムに設けられていない場合の給紙部設定画面を示す図である。
【図７】ユーザによってスタートボタンが押されたときの各々の給紙装置の制御手順を示すフローチャートである。
【図８】第２の実施形態に係る製本システムの模式的な全体構成図である。
【図９】第３の実施形態に係る製本システムにおいて表示される給紙部設定画面の一例を示す図である。
【図１０】第４の実施形態に係る製本システムにおいて表示される給紙部設定画面の一例を示す図である。
【図１１】第５の実施形態に係る製本システムにおいて表示される給紙部設定画面の一例を示す図である。
【図１２】第５の実施形態に係る製本システムにおいて表示される給紙部設定画面の他の一例を示す図である。
【図１３】第５の実施形態に係る製本システムにおいて表示される給紙部設定画面の他の一例を示す図である。
【図１４】第５の実施形態に係る製本システムにおいて表示される給紙部設定画面の他の一例を示す図である。
【図１５】第５の実施形態に係る製本システムにおいて表示される給紙部設定画面の他の一例を示す図である。
【図１６】第５の実施形態に係る製本システムにおいて表示される給紙部設定画面の他の一例を示す図である。
【図１７】第５の実施形態に係る製本システムにおいて表示される給紙部設定画面の他の一例を示す図である。
【図１８】第５の実施形態に係る製本システムにおいて表示される給紙部設定画面の他の一例を示す図である。
【図１９】第６の実施形態に係る製本システムにおいて表示される給紙部設定画面の一例を示す図である。
【図２０】第７の実施形態に係る製本システムにおいて表示される給紙部設定画面の一例を示す図である。
【符号の説明】
【０１６９】
１０Ａ及びＢ  製本システム、  １２  第１給紙装置、  １４  第２給紙装置、  １６  第３給紙装置、  ２０  中綴じ折り装置、  ２８  管理装置、  ３０  給紙台、  ３８Ａ  Ａトレイ、  ３８Ｂ  Ｂトレイ、  ６２  綴じ機構、  ９４  管理ＰＣ、  ９６  ディスプレイ、  １００  対応関係取得部、  １０２  給紙タイミング制御部、  １０４  選択結果取得部、  １０６  合計枚数取得部、  １０８  表示制御部、  １２０  給紙部設定画面、  １２２  対応関係入力欄、  １２４  用紙画像。  
【図１】
0005051388.tif 000002
【図２】
0005051388.tif 000003
【図３】
0005051388.tif 000004
【図４】
0005051388.tif 000005
【図５】
0005051388.tif 000006
【図６】
0005051388.tif 000007
【図７】
0005051388.tif 000008
【図８】
0005051388.tif 000009
【図９】
0005051388.tif 000010
【図１０】
0005051388.tif 000011
【図１１】
0005051388.tif 000012
【図１２】
0005051388.tif 000013
【図１３】
0005051388.tif 000014
【図１４】
0005051388.tif 000015
【図１５】
0005051388.tif 000016
【図１６】
0005051388.tif 000017
【図１７】
0005051388.tif 000018
【図１８】
0005051388.tif 000019
【図１９】
0005051388.tif 000020
【図２０】
0005051388.tif 000021